(57)【要約】【課題】管体に生じた漏洩孔から流体が外部に放出されることを抑制して回収または封止するようにした。【解決手段】収集装置１０は、ガス導管１ａにマグネット２１をＯＮすることで取り付ける一対の取り付け具１１と、各取り付け具１１間に水平方向に支持された支持プレート１２と、支持プレート１２の中央に進退可能に設けられた固定ボルト１３とを備えた。漏洩孔２を閉塞する開口を備えたニップル１７及びエルボ継手１６を有する収集口部を設け、その他端にはガスを回収するためのホースが海上の作業船まで延びている。収集装置１０は、開口で漏洩孔２を塞いだエルボ継手１６を固定ボルト１３で押圧して漏洩孔２を開口で閉塞固定し、漏洩孔２から漏洩するガスを収集口部の開口で回収する。【選択図】図１
2014238116.tif 000002
【特許請求の範囲】
【請求項１】
流体を搬送する管体に生じた漏洩孔から漏洩する流体を回収するための流体の収集装置であって、
前記管体に取り付けられる取り付け具と、該取り付け具に支持された支持部材と、該支持部材に進退可能に設けられた固定部材と、前記管体の漏洩孔を閉塞して漏洩する流体を収集または封止すると共に前記固定部材で管体との間に固定される収集口部とを備えたことを特徴とする流体の収集装置。
【請求項２】
前記取り付け具は、管体に固着可能なマグネットを備えてなる請求項１に記載された流体の収集装置。
【請求項３】
前記収集口部にはホースが連結されており、前記漏洩孔から漏洩した流体を収集口部からホースを通して収集するようにした請求項１または２に記載された流体の収集装置。
【請求項４】
前記管体は海底に設置されるパイプラインである請求項１乃至３のいずれか１項に記載された流体の収集装置。
【請求項５】
流体を搬送する管体に生じた漏洩孔の両側または片側に取り付け具を取り付ける工程と、前記漏洩孔を収集口部で塞ぐ工程と、前記取り付け具に設けた固定部材を進退させて前記収集口部を管体の漏洩孔に押圧して該漏洩孔を閉塞するようにしたことを特徴とする流体の収集方法。
【請求項６】
前記取り付け具は、管体に固着可能なマグネットを備えてなる請求項５に記載された流体の収集方法。
【請求項７】
前記取り付け具と支持部材と固定部材は予め組み立てられた状態で、前記管体に取り付け具を取り付けるようにした請求項５または６に記載された流体の収集方法。
【請求項８】
前記管体は海底に設置されるパイプラインである請求項５乃至７のいずれか１項に記載された流体の収集方法。
【発明の詳細な説明】
【技術分野】
【０００１】
本発明は、例えば海底に敷設されたガス等の流体を搬送するパイプラインに腐食や損傷等で生じた漏洩孔を閉塞して、漏洩孔から漏出する流体を回収するようにした流体の収集装置及び収集方法に関する。
【背景技術】
【０００２】
従来、図８に示すように、海底にはガスや石油等の流体を搬送するパイプライン１が敷設されている。このパイプラインが腐食したり、航行する船の錨等が当たったりして、パイプライン１の一部のガス導管が損傷したり亀裂が生じたりして孔２（以下、漏洩孔という）ができることがあった。すると、ガス導管内部のガスや石油等が漏洩孔２から海中に噴出することがあった。
この場合、損傷した漏洩孔２を早急に修復しないと、ガス導管から海中に放出されたガスは拡散されて海面から大気中に放出されるが、ガスは可燃性であるために海上において火災等の二次災害が発生する可能性があった。
【０００３】
このような場合、二次災害を防ぐために、またガスの大量放出を抑制するために、可能な限り速やかに漏洩孔２からのガスの噴出を止める必要があった。しかし、上述のように、漏洩孔からのガスの噴出を迅速に止めるための有効な手段がなかったため、ガス導管の大掛かりな修理が終了するまで、漏洩孔からガスが漏れっぱなしであった。
また、ガス導管の漏洩孔２を修理する際、パイプライン１のガス搬送を止めて修理するため、ガス圧が低下するので、パイプライン１を海底に設置した場合には、漏洩孔２からガス導管内に海水が侵入してしまうという不具合があり、修復作業が複雑且つ大規模化してしまうことが懸念された。
【０００４】
また、ガス導管に漏洩孔２が発生した場合、漏洩孔２を応急的に塞いで修理する器具として、例えば特許文献１に開示された応急封止具が提案されている。この応急封止具は、ガス導管に生じた漏洩孔２を塞ぐために、内面に凹陥部が形成されたシール材を接着した添え板に遮断弁を備えた放散管を連結し、放散管をシール材の凹陥部に連通させている。
【０００５】
この応急封止具のシール材をガス導管の漏洩孔２に押し当てて漏洩孔２をシール材で包囲する。そして、放散管の両側で２本のベルトで添え板とガス導管を巻き付けて、シール材がガス導管の外面に密着するようにベルトを締め付ける。
そうすると、ガス導管の漏洩孔から漏れ出すガスは凹陥部から放散管を通って放出されると共に、放散管の遮断弁のコックを閉じればガスの放散が止まり、シール材のシール効果によってガス漏れを応急的に防止できるとしている。
【先行技術文献】
【特許文献】
【０００６】
【特許文献１】特開平９−２２９２８９号公報
【発明の概要】
【発明が解決しようとする課題】
【０００７】
しかしながら、上記特許文献１に開示された応急封止具は、地中の埋設管等を対象とするものであり、海底に敷設されたパイプラインでは、バンドを添え板とガス導管に巻くときにパイプラインが設置されている海底の岩盤や砂等が邪魔になってバンドをガス導管の下側に通すことが困難であり、漏洩孔の迅速な補修ができないという欠点があった。
【０００８】
本発明は、このような事情に鑑みてなされたものであり、管体に生じた漏洩孔から流体が外部に漏洩することを迅速に抑制するようにした流体の収集装置及び収集方法を提供することを目的とする。
また、本発明の他の目的は、海底に設置された管体に生じた漏洩孔から流体が外部に漏洩することを迅速に抑制するようにした流体の収集装置及び収集方法を提供することである。
【課題を解決するための手段】
【０００９】
本発明による流体の収集装置は、流体を搬送する管体に生じた漏洩孔から漏洩する流体を回収するための流体の収集装置であって、管体に取り付けられる取り付け具と、取り付け具に支持された支持部材と、支持部材に進退可能に設けられた固定部材と、管体の漏洩孔を閉塞して漏洩する流体を収集または封止すると共に固定部材で管体との間に固定される収集口部とを備えたことを特徴とする。
本発明によれば、収集装置の取り付け具を管体に取り付けた状態で、収集口部で管体の漏洩孔を塞いで、更に固定部材によって収集口部を漏洩孔側に押圧して固定することで漏洩孔を閉塞でき、漏洩孔から漏出する流体は収集口部から収集または封止できる。
【００１０】
また、取り付け具は、管体に固着可能なマグネットを備えていることが好ましい。
取り付け具をマグネットで漏洩孔の近くの管体に吸着固定することで、収集口部で漏洩孔を塞いだ状態で支持部材から延びる固定部材によって収集口部を漏洩孔に押圧する方向に押圧して閉塞し固定できる
【００１１】
また、収集口部にはホースが連結されており、漏洩孔から漏洩した流体を収集口部からホースを通して収集するようにしてもよい。
漏洩孔から漏洩する流体を、管体の漏洩孔を塞ぐ収集口部に設けたホースを通して収集することができて、その後、流体の漏出量の測定や脱臭処理、焼却処理等の各種の処理が行える。
【００１２】
また、管体は海底に設置されるパイプラインであってもよい。
管体が海底に設置されるパイプラインであると、管体の漏洩孔を修理する場合、管体内の流体の圧力を海水より低下させると海水が流入して補修が大規模になってしまうが、本発明によれば収集装置によって流体を収集できるため、流体の圧力を低下させることなく応急処理を施した上で、本格的な補修を行える。
【００１３】
本発明による流体の収集方法は、流体を搬送する管体に生じた漏洩孔の両側または片側に取り付け具を取り付ける工程と、漏洩孔を収集口部で塞ぐ工程と、取り付け具に設けた固定部材を進退させて収集口部を管体の漏洩孔に押圧して該漏洩孔を閉塞するようにしたことを特徴とする。
本発明によれば、収集装置の取り付け具を管体に取り付けた状態で、収集口部で管体の漏洩孔を塞いで、更に固定部材によって収集口部を漏洩孔側に押圧して漏洩孔を閉塞できるため、漏洩孔から流体が漏洩することを迅速に抑えることができる。
【００１４】
また、取り付け具は、管体に固着可能なマグネットを備えてなることが好ましい。
取り付け具をマグネットで漏洩孔の近くの管体に吸着固定できるから、管体の裏面に岩盤や砂等の邪魔物があったとしても簡単且つ迅速に取り付け部を管体に取り付けて収集口部で漏洩孔を塞ぐことができる。
【００１５】
また、取り付け具と支持部材と固定部材は予め組み立てられた状態で、管体に取り付け具を取り付けることが好ましい。
管体に生じた漏洩孔を収集口部で塞ぐ場合、取り付け具と支持部材と固定部材からなる取付機構が予め組み立てられているから、組立作業を省いて迅速に取り付け部を管体に取り付けることができて、漏洩孔を塞いだ収集口部を固定部材で押圧して閉塞できるため、漏洩孔の閉塞作業の工程数が少なく作業が迅速に漏洩孔を閉塞できる。
【発明の効果】
【００１６】
本発明による漏洩流体の収集装置及び収集方法によれば、取り付け具を管体に取り付けた状態で、収集口部で管体の漏洩孔を塞いだ後、固定部材によって収集口部を漏洩孔側に押圧して漏洩孔を閉塞して固定でき、漏洩孔から漏出する流体は速やかに収集口部を通して収集または封止できる。
しかも、管体と収集口部をバンドで巻きつける必要もないため、管体の設置位置が海底等の不自由な場所であっても、迅速且つ容易に漏洩孔を収集口部で閉塞できる。
【図面の簡単な説明】
【００１７】
【図１】本発明の実施形態による収集装置を示す正面図である。
【図２】図１に示す収集装置の取付機構を示すものであって、（ａ）は平面図、（ｂ）は側面図である。
【図３】収集口部を構成するエルボ継手と開口を備えたニップルを示すもので、（ａ）は側面図、（ｂ）は底面図である。
【図４】実施形態による収集装置の収集方法を示す図であって、取付機構をパイプラインのガス導管に設置した工程を示す図である。
【図５】（ａ）は収集口部をガス導管の漏洩孔に近づける工程の図、（ｂ）は収集口部を漏洩孔に重ねた工程の図である。
【図６】固定ボルトを押し込んで収集口部をガス導管の漏洩孔に押し付け固定した状態を示す図である。
【図７】実施形態による収集装置を海底に設置したパイプラインのガス導管の漏洩孔に設置して、収集口部のホースを海上の作業船に接続してガスを回収する状態を示す図である。
【図８】従来のパイプラインのガス導管に生じた漏洩孔からガスが海上まで漏洩する状態を示す図である。
【発明を実施するための形態】
【００１８】
以下、添付の図１乃至図７を参照して、本発明の実施形態によるガスの収集装置と収集方法について説明するが、上述した従来技術と同一部分または部材には同一の符号を用いるものとする。
本実施形態におけるガスの収集装置１０は、例えば海水より高圧のガスを搬送するためのパイプライン１を海底に設置した状態で、その一部の管体であるガス導管１ａに漏洩孔２が生じた場合に噴出するガスを回収するための装置である。
図１に示すガスの収集装置１０は、取り付け具としての一対の取り付け部１１と、これら取り付け部１１間に設置された支持部材としての支持プレート１２と、支持プレート１２の中央孔１２ａに貫通して設置された固定部材としての固定ボルト１３とを備えた門型の取付機構１４を有している。
【００１９】
そして、ガスの収集装置１０は、取付機構１４とは別の部材として、図３及び図５に示すように、ガス導管１ａの漏洩孔２から噴出するガスを回収するための収集口部９として、略Ｌ字状のエルボ継手１６が設けられている。このエルボ継手１６の一端部にはガス回収用の開口１７ａを有するニップル１７が設けられ、このニップル１７の開口１７ａには弾性部材としてリング状の接触ゴム１８が接着されている。エルボ継手１６の他端側にはホースニップル１７ｂを介してホース１９が連結され、ホース１９は例えば海上の作業船まで延びている。
このエルボ継手１６の開口１７ａを、ガス導管１ａに生じた漏洩孔２に対向させて漏洩孔２を接触ゴム１８で気密に塞ぐことで、漏洩孔２から噴出するガスをエルボ継手１６を通してホース１９内に誘導できる。
【００２０】
図１及び図２に示す取付機構１４において、取り付け部１１は一対設けられていて、金属製のガス導管１ａに吸着されるマグネット２１と、マグネット２１の上部に連結された軸部材２０とが設けられている。マグネット２１は永久磁石と電磁石のいずれでもよいが、電流によってＯＮ，ＯＦＦを切り替え制御できる電磁石を用いることが好ましい。
取り付け部１１のマグネット２１の底面２１ａは、正面方向から見るとガス導管１ａの曲面に沿って凹曲面形状に形成され（図１参照）、しかも、底面２１ａは凹曲面に直交する側面方向から見ると中央部にガス導管１ａに非接触となる凹部２１ｂが形成されている（図２（ｂ）参照）。
また、取り付け部１１の軸部材２０には雄ネジが切られており、この軸部材２０には複数、例えば３個のナット２２が螺合されている。支持プレート１２にはその長手方向の両端に貫通孔２３と長孔２４とが形成され、これら貫通孔２３と長孔２４には各軸部材２０が挿通されている。
【００２１】
ここで、複数のナット２２において、支持プレート１２とマグネット２１の間に配置されたものは高さ調整用のナット２２ａであり、任意の数を選択できる。支持プレート１２の上に配置されたナット２２は軸部材２０へ支持プレート１２を締め込み固定する固定ナット２２ｂである。
また、支持プレート１２において、固定ナット２２ｂを軸部材２０に締め付ける前に、一方の取り付け部１１と他方の取り付け部１１との間隔を支持プレート１２に形成した長孔２４の範囲で調整できる。なお、貫通孔２３についても長孔に形成してもよく、この場合には一対の取り付け部１１の間隔を調整できる範囲が広がる利点がある。
【００２２】
また、支持プレート１２の中央に形成された中央孔１２ａの上面（下面でもよい）には締結ナット２６が固着されており、中央孔１２ａを通して締結ナット２６には固定ボルト１３が螺合されている。そのため、固定ボルト１３を正逆回転することで固定ボルト１３は支持プレート１２の下方または上方に進退可能とされている。
本実施形態によるガスの収集装置１０は、エルボ継手１６が略Ｌ字状に屈曲され、その他端にホース１９が接続された構成であるから、エルボ継手１６の開口１７ａでガス導管１ａの漏洩孔２を塞いだ状態で、取付機構１４の固定ボルト１３でエルボ継手１６の上面を押圧して固定することができるようになっている。
【００２３】
本実施形態による収集装置１０は上述の構成を備えており、次にこの収集装置１０を用いた漏洩ガスの収集方法について図４乃至図７を中心に説明する。
海底に設置されているパイプライン１のガス導管１ａに腐食や錨が衝突すること等によって、ガス導管１ａが損傷・破損して漏洩孔２が生じると、搬送される加圧ガスが漏洩孔２から海中に噴出することになる(図８参照)。このような事故を作業員のダイバーが発見することで、収集装置１０によって応急的に漏洩孔２からガス漏出を止めるための収集処理を速やかに行う。
【００２４】
まず最初に、海上の作業船で、収集装置１０の門型の取付機構１４を予め組み立てておく。即ち、一対の取り付け部１１間に、固定ボルト１３を装着した支持プレート１２を仮止めした取付機構１４を組み立てる。そして、作業員のダイバーが取付機構１４とホース１９付きの収集口部９を持って海底に潜る。
海底に設置されたパイプライン１の漏洩孔２が生じたガス導管１ａの位置に到達すると、図４において、取付機構１４は漏洩孔２を挟んでガス導管１ａの周方向または長手方向の両側に一対の取り付け部１１を対向させて配置させ、支持プレート１２の固定ボルト１３が漏洩孔２の真上に位置するように、支持プレート１２の長孔２４によって一対の取り付け部１１の間隔を調整する。
【００２５】
次に、各マグネット２１をＯＮして、各取り付け部１１の底面２１ａの凹曲面をガス導管１ａの曲面に吸着させて固定する。
こうして、図４に示すように、一対の取り付け部１１間に位置する漏洩孔２から漏洩ガスが支持プレート１２方向に噴出することになる。
【００２６】
次に、図５（ａ）に示すように、作業者のダイバーは、ガス導管１ａの漏洩孔２上に、収集用のホース１９の先端に設けた収集口部９を移動させ、ニップル１７の開口１７ａを漏洩孔２と支持プレート１２の固定ボルト１３との間に設置させる。そして、ニップル１７の開口１７ａを、密着性の高い接触ゴム１８を介して漏洩孔２に押圧して塞ぎ、噴出ガスが収集用のホース１９内へ流動するように調整する。
この状態で、支持プレート１２に設けた固定ボルト１３を締結ナット２６に対して締め込み、固定ボルト１３の先端でエルボ継手１６をガス導管１ａの漏洩孔２に強固に押し付けて開口１７ａの接触ゴム１８で気密に固定する。
【００２７】
こうして、海底に設置したガス導管１ａの漏洩孔２は応急的に収集口部９に設けたニップル１７と接触ゴム１８で閉塞することができて、図７に示すようにエルボ継手１６に連結したホース１９を経由して海上に設けた作業船に漏洩ガスを移送させ、回収することができる。
そのため、漏洩孔２が発見されると、迅速に収集装置１０の収集口部９を漏洩孔２に取り付けて漏洩孔２から噴出する漏洩ガスを応急的に回収して漏洩ガスの拡散防止と二次災害の予防とを実行できる。また、作業船上でガス漏出量の測定や漏洩ガスの脱臭、焼却または回収等の処理を行うことができる。
そして、収集装置１０で漏洩ガスを応急的に回収している短期間のうちに、別の機器を準備して漏洩孔２を埋設する等して、漏洩孔２の強固で永続的な補修を行うことができる。
【００２８】
上述のように本実施形態による漏洩ガスの収集装置１０と収集方法によれば、漏洩孔２を生じたガス導管１ａが海底に設置されていても、収集装置１０の一対の取り付け部１１に設けたマグネット２１をガス導管１ａに吸着固定して、漏洩孔２を収集口部９の開口１７ａで閉塞して固定ボルト１３で押圧固定できるから、漏洩孔２の応急的な閉塞とガスの回収を迅速且つ簡単に吸着固定できる。
しかも、収集口部９は、ニップル１７の開口１７ａを接触ゴム１８を介して漏洩孔２に押し付けてエルボ継手１６の背面を固定ボルト１３で漏洩孔２に押しつけることで強固に気密に封止固定できるから、上述した従来技術のように、ガス導管１ａの漏洩孔２を封止具で覆ってバンドで巻回固定するものと比較して、迅速且つ簡単に収集口部９をガス導管１ａに固定できる。
【００２９】
また、収集口部９の開口１７ａで漏洩孔２を閉塞することで、漏出するガスをホース１９を通して作業船まで移送して回収できるため、ガスの漏出量の測定や脱臭、焼却等のガス処理等が可能であり、漏出したガスの海上での処理が容易である。
しかも、漏洩孔２を開口１７ａ及び接触ゴム１８で塞いでエルボ継手１６を固定ボルト１３で押圧することによって、漏洩孔２からのガスの漏洩を防止できるから、ガス導管１ａ内のガス圧を維持した状態で漏洩ガスの回収が可能であるため、漏洩孔２から海水が侵入することを防止できる。
また、収集口部９によって漏洩孔２からのガス噴流・漏れを低減できるため、ガス導管１ａの内圧を維持できて漏洩孔２から海水の侵入を防止できると共に、漏洩するガス噴流を低減させて漏洩孔２付近の気泡が生じないから、海底付近での修復準備作業を行うダイバーの作業員の視界を確保できて負担を軽減できる。
【００３０】
なお、本発明の実施形態によるガスの収集装置１０を用いて、ガスを搬送するパイプライン１のガス導管１ａに生じた漏洩孔２からガスが海中に噴出することを抑制して回収できる漏洩孔２の径は、例えば内径が５ｍｍ程度以下であり、パイプライン１におけるガスの内部圧力は例えば２ＭＰ程度またはそれ以下であることが好ましい。
【００３１】
なお、本発明は上述の実施形態に限定されることなく、本発明の要旨を変更しない範囲で上述した実施形態の構成を適宜変更することができる。
例えば、上述した実施形態によるガスの収集装置１０とこれを用いた収集方法では、海底に設置したパイプライン１のガス導管１ａに漏洩孔２が生じた場合に、漏洩孔２から噴出する圧力ガスを緊急に回収する収集装置１０であるが、本発明は、海底のガス導管１ａに限定されることなく、地上や地中に設置したガス導管１ａのガス漏れ等にも対応できる。
【００３２】
なお、上述の実施形態では、漏洩孔２から噴出する流体は天然ガス等のガスであるとしたが、本発明はこのような実施形態に限定されるものではない。その他の不活性ガスや活性ガス等の気体、石油等の流体等、適宜の圧力を有するこれら流体を搬送するパイプライン１において、その一部であるガス導管１ａに腐食や損傷等で生じた漏洩孔２から外部に流体が噴出する事故や緊急事態に対して、漏洩孔２を閉塞して流体を収集するような各種の収集装置１０とその収集方法に本発明を適用できる。
【００３３】
なお、上述の実施形態では、収集装置１０では、エルボ継手１６とニップル１７の開口１７ａを備えた収集口部９にホース１９を接続したが、収集口部９には必ずしもホース１９を設ける必要がなく、ニップル１７の開口１７ａまたはエルボ継手１６で漏洩孔２を封止してガスを導管１ａから噴出させないようにしてもよい。
また、上述した収集装置１０は取り付け部１１を一対設けて支持プレート１２を支持させ、支持プレート１２に設けた固定ボルト１３でエルボ継手１６を押圧するようにしたが、この構成に代えて取り付け部１１を片方だけ設けて固定ボルト１３を設置した支持プレート１２を片持ち支持するようにしてもよい。
【符号の説明】
【００３４】
１  パイプライン
１ａ  ガス導管
２  漏洩孔
９  収集口部
１０  収集装置
１１  取り付け部
１２  支持プレート
１３  固定ボルト
１４  取付機構
１６  エルボ継手
１７  ニップル
１７ａ  開口
１８  接触ゴム
１９  ホース
２０  軸部材
２１  マグネット
【図１】
2014238116.tif 000003
【図２】
2014238116.tif 000004
【図３】
2014238116.tif 000005
【図４】
2014238116.tif 000006
【図５】
2014238116.tif 000007
【図６】
2014238116.tif 000008
【図７】
2014238116.tif 000009
【図８】
2014238116.tif 000010